(57)【要約】      （修正有）【課題】ポリウレタンシート内部に電子機器（カメラ、携帯、ビデオ、パソコン）を入れてベルトを挟み込み利用し密着させ、内部に水の浸入もなく、収納物を、防水、防塵、防滴にすることができ、機能も向上する電気機器用ケースを提供する。【解決手段】使用者の好みの袋をベルトで挟み込み電子機器２０の動かないところまで巻き込みクランプを連結させ使用する。【選択図】図８
0003200623.tif 000002
【実用新案登録請求の範囲】
【請求項１】
片側先端部に雌側クランプが固定され、且つ、長さ調整機能を有する雄側クランプを備えたベルトと防水性に優れたポリウレタン製の袋等を用い、当該袋の中に電子機器を挿入した後に前記雌側クランプ側のベルト部と先端部にクランプがないベルト部を前記袋の開閉部に対して挟み込んだ状態で電子機器の筐体サイズになるまでベルト部と袋を織り込み、両クランプを連結させる電子機器用ケース。
【請求項２】
電子機器の操作、写真撮影ができるように透明性があるポリウレタン製の袋を利用する請求項１記載の電子機器用ケース。
【請求項３】
ポリウレタン製の袋を二重、三重と重ねることを特徴とする請求項１または請求項２に記載の電子機器用ケース。
【考案の詳細な説明】
【技術分野】
【０００１】
本考案は、電子機器等に対する防水性、防塵性、および防滴性に優れ当該電子機器等の紛失も防止できる電子機器用ケースである。
【背景技術】
【０００２】
電通信機能、撮影機能など多種多様な機能を備えた電子機器は、老若男女問わず多くの人が使用しており、これら電子機器には商品毎に専用のケース、例えば携帯電話やカメラ用等に分かれて販売もされている。特に、スマートフォンやタブレットパソコンに関しては、海や川などアウトドアでの使用も多くなり電子機器にとっては厳しい環境下となっている。
【考案の概要】
【考案が解決しようとする課題】
【０００３】
アウトドア用途の専用ケースは、合成樹脂製袋の開閉部に単数、または複数のシールファスナーを形成した物や、軟質合成樹脂製の袋体の開閉部付近に開閉部の巻き込み封止ベルトが固定された物などあるが、袋体の破損や長期使用による劣化破損等で使用不能となる。
また、それぞれの電子機器に専用となっているためサイズや形が変わると操作機能も失われる。
【課題を解決するための手段】
【０００４】
上記課題に臨み、普及品である透明性のあるポリウレタン製の袋とベルト長さを調整できるクランプを具備した封止ベルトを利用することで上記課題を解決できることを見出した。これにより袋のサイズ、形、厚さ、色、素材、枚数を選ばず、収納物のサイズ、形、量も選ばず、繰返し利用でき破損した場合でも容易に交換し繰返し使用できる。
【０００５】
更に、使用者が自由に収納物により袋のサイズ、形、厚さ、色、素材、枚数、色を選ぶことで防水、防塵、防滴用のものだけでなく使用者の好みにより使用できるのみならず、持ち運びも容易となる。
【考案の効果】
【０００６】
本考案は、電子機器等を適切に保持しつつ、使用者のこみにより安心して使用することができる。
【図面の簡単な説明】
【０００７】
【図１】本考案の実施形態を示す前面図である。
【図２】本考案の実施形態を示す前面図である。
【図３】本考案の実施形態を示す前面図である。
【図４】本考案の実施形態を示す前面図である。
【図５】本考案の実施形態を示す前面図である。
【図６】本考案の実施形態を示す前面図である。
【図７】本考案の実施形態を示す前面図である。
【図８】本考案の実施形態を示す前面図である。
【図９】本考案の実施形態を示す前面図である。
【図１０】本考案の実施形態を示す前面図である。
【考案を実施するための形態】
【０００８】
以下に、本考案のベルトをその実施の形態について、図面を参照し、具体的に説明する。
【実施例】
【０００９】
図1を使って本発明の実施形態を示す前面図を説明する。
伸縮性、防塵性、防塵性があるポリウレタン製の袋サイズを選ばず電子機器に対して防水、防塵を可能とするベルトでありポリエステル生地から成り片側先端部に雌側（a）クランプが固定され当該ベルト長さを調整できる雄側（b）クランプを備えている。
雌側クランプから雄側クランプ間のベルト部を（２）とし、雄側クランプからベルト先端部に雌側クランプを固定していないベルト部を（１）とする。  
【００１０】
図2を使って本発明の実施形態を示す前面図を説明する。
ベルト（２）の上に電子機器（20）を入れた袋（3）を置きその上に挟み込むようにベルト（１）を置く。
【００１１】
図3を使って本発明の実施形態を示す前面図を説明する。
袋（3）に電子機器（20）を収納し袋（3）をベルト（1）（2）に巻きつける。
【００１２】
図4を使って本発明の実施形態を示す前面図を説明する。
電子機器（20）の動かないところまで袋（3）をベルト（1）（2）を同時に巻きつける。
【００１３】
図5を使って本発明の実施形態を示す前面図を説明する。
電子機器20を入れた袋（3）を巻いたベルト（1）（2）のクランプ雄側（ｂ）とクランプ雌側（a）を連結させる。
【００１４】
図6を使って本発明の実施形態を示す前面図を説明する。
電子機器（20）を入れた袋（3）を巻いたベルト（1）（2）のクランプ（a）とクランプ（b）を連結させたことで袋（3）は開閉ができない状態となる。
【００１５】
図7を使って本発明の実施形態を示す前面図を説明する。
電子機器（20）を入れた袋（3）を巻いたベルト（1）（2）のクランプ（a）とクランプ（b）接合させた後にベルト部（1）（2）を持つことで収納物を容易に移動させることが可能となる。
【００１６】
図8を使って本発明の実施形態を示す前面図を説明する。
透明性の高いポリウレタン製の袋（3）を使用した場合には電子器具（20）を操作できる。
【００１７】
図9を使って本発明の実施形態を示す前面図を説明する。
袋（3）は一般なものを利用でき、電子機器が挿入できる袋サイズ（11）、（12）、（13）、（14）であれば良い。
【００１８】
図10を使って本発明の実施形態を示す前面図を説明する
収納物の種類によりポリウレタン製の袋でなく、ビニール袋や紙袋（15）を使用することも可能である。
【００１９】
なお、本考案はかかる例に限定されるものでないことは言うまでもない。
【符号の説明】
【００２０】
1・・・ベルト部
2・・・袋ベルト挟み部
3・・・袋ベルト巻き込み部
4・・・袋で電子機固定部
5・・・ベルト連結部
6・・・ベルト連結部
7・・・袋持ち部
8・・・操作部
9・・・袋サイズ部
10・・・袋種類部
【図１】
0003200623.tif 000003
【図２】
0003200623.tif 000004
【図３】
0003200623.tif 000005
【図４】
0003200623.tif 000006
【図５】
0003200623.tif 000007
【図６】
0003200623.tif 000008
【図７】
0003200623.tif 000009
【図８】
0003200623.tif 000010
【図９】
0003200623.tif 000011
【図１０】
0003200623.tif 000012
【手続補正書】
【提出日】平成27年8月18日(2015.8.18)
【手続補正１】
【補正対象書類名】実用新案登録請求の範囲
【補正対象項目名】全文
【補正方法】変更
【補正の内容】
【実用新案登録請求の範囲】
【請求項１】
片側先端に雌側クランプが固定され、且つ、長さ調整機能を有する雄側クランプを備えたベルトと袋を用い、当該袋の中に電子機器を挿入した後に前記雌側クランプ側のベルト部と先端部にクランプがないベルト部を前記袋の開閉部に対して挟み込んだ状態で電子器機の筺体サイズになるまでベルト部と袋を織り込み、両クランプを連結させる電子機器用ケース。
【請求項２】
電子機器の操作、写真撮影ができるように透明性があるポリウレタン製の袋を利用する請求項１記載の電子機器用ケース。
【請求項３】
袋を二重、三重と重ねる事を特徴とする請求項１または請求項２に記載の電子機器用ケース。